(57)【要約】【課題】送信信号のスペクトラム形状が任意に変化する場合、スペクトラム形状に対応したフィルタ特性を実現できない。このため、ピークファクタ低減後の送信信号は、通信に使用していないサブキャリア領域に不要なスペクトラムを発生させてしまう。【解決手段】振幅制限のために主信号に付与するインパルス信号について、フィルタリングするフィルタの係数を送信信号のＦＦＴ結果より得たスペクトラムマスクより生成する。この結果、送信信号の周波数配置が変化した場合、その変化に追随した周波数マスクの生成およびフィルタ係数の生成が行なわれる。このため、キャリア配置のない領域への不要なスペクトラムの発生を抑制することができる。【選択図】図２
2010171610.tif 000002
【特許請求の範囲】
【請求項１】
送信帯域外の信号をフィルタリングする第１のベースバンドフィルタと、この第１のベースバンドフィルタの出力信号の振幅成分が設定値を超過した場合に超過分に比例する振幅を有する複素インパルス信号を出力するインパルス生成回路と、このインパルス生成回路の出力の複素インパルス信号のフィルタリング処理を行う第２のベースバンドフィルタと、前記第１のベースバンドフィルタの前記出力信号に対して、シンボル同期、ＣＰ除去、ＦＦＴ処理、サブキャリアマッピング生成、ＩＦＦＴ処理を施すことにより前記第２のベースバンドフィルタのフィルタ係数を生成するフィルタ係数生成回路と、前記第１のベースバンドフィルタの前記出力信号を前記インパルス生成回路および前記第２のベースバンドフィルタの処理時間分遅延させる遅延器と、この遅延器の出力信号から前記第２のベースバンドフィルタの出力信号を減算する減算器とから構成されることを特徴とするピークファクタ低減装置。
【請求項２】
請求項１に記載のピークファクタ低減装置であって、
前記フィルタ係数生成回路の最終段に窓関数によりフィルタ係数の削減を行う窓関数回路を持つことを特徴とするピークファクタ低減装置。
【請求項３】
請求項１に記載のピークファクタ低減装置であって、
前記フィルタ係数生成回路の最終段にフィルタ係数の急激な変動を抑えるためのローパスフィルタを持つことを特徴とするピークファクタ低減装置。
【請求項４】
請求項１に記載のピークファクタ低減装置であって、
前記フィルタ係数生成部に、前記第１のベースバンドフィルタと同一のフィルタ係数を生成する係数生成部と前記第２のベースバンドフィルタの係数とを選択する係数選択部を持つことを特徴とするピークファクタ低減装置。
【請求項５】
送信データを無線通信に適したベースバンド信号に変換するモデム部と、ベースバンド信号の送信帯域制限を行なうベースバンドフィルタと、ディジタル−アナログ変換を行なうＤＡ変換機と、送信信号の周波数変換を行なう直交変調器と、送信信号の電力増幅を行なう電力増幅器と、送信信号の帯域制限を行うフィルタとで構成される送信機を備えた無線基地局において、
前記ベースバンドフィルタと前記ＤＡ変換機との間に、
送信帯域外の信号をフィルタリングする第１のベースバンドフィルタと、この第１のベースバンドフィルタの出力信号の振幅成分が設定値を超過した場合に超過分に比例する振幅を有する複素インパルス信号を出力するインパルス生成回路と、このインパルス生成回路の出力の複素インパルス信号のフィルタリング処理を行う第２のベースバンドフィルタと、前記第１のベースバンドフィルタの前記出力信号に対して、シンボル同期、ＣＰ除去、ＦＦＴ処理、サブキャリアマッピング生成、ＩＦＦＴ処理を施すことにより前記第２のベースバンドフィルタのフィルタ係数を生成するフィルタ係数生成回路と、前記第１のベースバンドフィルタの前記出力信号を前記インパルス生成回路および前記第２のベースバンドフィルタの処理時間分遅延させる遅延器と、この遅延器の出力信号から前記第２のベースバンドフィルタの出力信号を減算する減算器とから構成されるピークファクタ低減装置を備えることを特徴とする無線基地局。
【請求項６】
請求項５に記載の無線基地局であって、
前記ピークファクタ低減装置の後段にアンプの歪み補償を行うディジタルプリディストーション回路を備えることを特徴とする無線基地局。
【発明の詳細な説明】
【技術分野】
【０００１】
本発明は、ピークファクタ低減装置および基地局に係り、特にＯＦＤＭ方式を採用するピークファクタ低減装置および基地局に関する。
【背景技術】
【０００２】
第３世代の移動体通信方式として周波数資源の利用効率がよいＣＤＭＡ方式が広く利用されてきた。ＣＤＭＡ方式は、複数のベースバンド信号について、各々直交する拡散符号により無相関な信号へと拡散し、この拡散信号を多重する符号多重方式が用いられる。ここで、拡散された無相関の信号を多重する際、多重信号数が増えると信号の特性は正規分布に近づく。正規分布の特性を有する信号は、発生確率は低いながらも信号の平均電力に比べて１０ｄＢ以上も高いピーク電力が発生する。一般にこのピーク電力と平均電力の比をピークファクタと呼ぶ。
【０００３】
正規分布の特性を持つ信号を無線送信機で送信する場合、ピーク電力に対しても送信機の線形性が確保されていないと送信スペクトラムが歪む。このため、送信周波数帯域外へ不要な電波を発することになる。この結果、当該帯域を使うシステムへ妨害を与えることになる。したがって、この帯域外へのスペクトラムの発生量は電波法により厳しく規制されている。
【０００４】
上述の理由により、無線送信機に使用する電力増幅器は、平均電力を増幅器の飽和電力付近で運転することが困難となり、電力効率を十分に上げることが難しい。結果、装置の電力消費量増大による装置サイズ、ランニングコストの増大という問題が発生する。
【０００５】
この問題点を解決する方法のひとつとして、ベースバンド信号の分布形を変化させることによりピーク電力の発生を抑えるいわゆるピークファクタ低減処理が知られている。このピークファクタ低減処理は、特許文献１に記載されている。
【０００６】
特許文献１の技術では、ＣＤＭＡ方式で問題となっていたピークファクタが抑圧できる。このため、電力増幅器の平均電力を飽和電力に近づけて運転することができ、結果電力効率をあげることができる。また、ピーク振幅付近にインパルス信号を付加してピークファクタ低減処理を行なっており、ピーク振幅のごく近傍にしかピークファクタ低減処理の影響を与えない。このため信号品質の劣化を最小限に抑えることができる。さらに、ピークファクタ低減のためのインパルス信号を送信信号に付加した後に帯域制限フィルタをかけるため、ピークファクタ低減処理によるスペクトラムの広がりも抑えることができる。
【０００７】
特許文献２は、特許文献1でのピークファクタ低減処理後に、インターポレーションを行なってもピークファクタ低減効果が損なわれないピークファクタ低減装置を開示している。
【先行技術文献】
【特許文献】
【０００８】
【特許文献１】特開２００３−１２４８２４号公報
【特許文献２】特開２００８−１０３８８１号公報
【発明の概要】
【発明が解決しようとする課題】
【０００９】
第４世代の移動体通信方式については、マルチパス遅延波に強いＯＦＤＭ方式が広く検討がされている。このＯＦＤＭ方式を用いた多元接続方式としてＯＦＤＭＡがある。ＯＦＤＭＡは、任意の複数サブキャリアをサブチャネルと位置づけ、任意の時間タイミングで各ユーザーにサブチャネルを適応的に割り当てることにより多元接続を行なう。ＯＦＤＭＡでは、任意のサブチャネルを使って通信を行うため、通信に使用しないサブチャネルに割り振られたサブキャリアは停波となる。このため通信状態により送信スペクトラムの形状が大きく変わることになる。
【００１０】
従来技術では、任意に変化するスペクトラム形状に対応したフィルタ特性を実現できない。このため、結果ピークファクタ低減後の送信信号は、図１のように通信に使用していないサブキャリア領域に不要なスペクトラムを発生させてしまう。ここで、図１は、ＯＦＤＭ送信信号のスペクトラム形状を説明するグラフである。図１において、ＰＦＲ（Peak Factor Reduction）なしの送信スペクトラムに対して、従来方式のＰＦＲありの送信スペクトラムは、停波されたサブキャリア領域にスペクトラムが発生している。
【課題を解決するための手段】
【００１１】
本発明は、上記従来技術の問題点を解決するために為されたものである。本発明では、振幅制限のために主信号に付与するインパルス信号について、フィルタリングするフィルタの係数を送信信号のＦＦＴ結果より得たスペクトラムマスクより生成する。この結果、送信信号の周波数配置が変化した場合、その変化に追随した周波数マスクの生成およびフィルタ係数の生成が行なわれる。このため、キャリア配置のない領域への不要なスペクトラムの発生を抑制することができる。
【発明の効果】
【００１２】
本発明によれば、通信に使用していないサブキャリア領域への不要なスペクトラムの発生を抑えることが可能となる。
【図面の簡単な説明】
【００１３】
【図１】ＯＦＤＭ送信信号のスペクトラム形状を説明する図である。
【図２】無線基地局のブロック図である。
【図３】ピークファクタ低減装置のブロック図である。
【図４】ＯＦＤＭ信号ピークファクタ低減処理結果を説明するＯＦＤＭ送信信号のスペクトラムとＣＣＤＦ特性である。
【図５】フィルタ係数生成回路のブロック図である。
【図６】サブキャリアのマッピング波形である。
【図７】インパルス生成回路のブロック図である。
【図８】デッドゾーン回路の動作を説明する図である。
【図９】最大値検出回路のブロック図である。
【図１０】最大値検出回路の他のブロック図である。
【図１１】フィルタ係数生成回路の他のブロック図である。
【図１２】ＩＦＦＴ出力信号波形である。
【図１３】窓関数回路出力信号波形である。
【図１４】窓関数回路出力信号のＦＦＴ波形である。
【図１５】フィルタ係数生成回路のさらに他のブロック図である。
【図１６】ピークファクタ低減装置の他のブロック図である。
【図１７】無線基地局の他のブロック図である。
【発明を実施するための形態】
【００１４】
以下本発明の実施の形態について、実施例を用い図面を参照しながら詳細に説明する。なお、実質同一部位には同じ参照番号を振り、説明は繰り返さない。
【実施例１】
【００１５】
実施例１について、図２ないし図９を参照して説明する。まず、図２を参照して、無線基地局の構成を説明する。図２において、無線基地局５００は、送信機５１０、受信機５２０、デュープレクサ（ＤＵＰ）５３０、アンテナ５４０で構成されている。送信機５１０は、ディジタル部５５０、アナログ部５６０で構成される。ディジタル部５５０は、モデム部（ＭＤＭ）５５１、ベースバンドフィルタ（ＢＢＦＩＬ）５５２、ピークファクタ低減装置（ＰＦＲ）１００で構成されている。アナログ部５６０は、ＤＡ変換機（ＤＡＣ）５６１、直交変調器（ＭＯＤ）５６２、フィルタ（ＦＩＬ）５６３、電力増幅器（ＰＡ）５６４で構成されている。
【００１６】
モデム部５５１は、送信データを無線通信に適したベースバンド信号に変換する。ベースバンドフィルタ５５２は、ベースバンド信号の送信帯域制限を行なう。ピークファクタ低減装置１００は、ベースバンドフィルタ５５２とＡＤ変換機５６１の間に実装され、ディジタル信号処理によりピーク信号の低減を行う。
【００１７】
ＤＡ変換機５６１は、ディジタル−アナログ変換を行なう。直交変調器５６２は、送信信号の周波数変換を行なう。フィルタ５６３は、送信信号の帯域制限を行なう。電力増幅器５６４は、送信信号の電力増幅を行なう。送信機５１０の後段のデュープレクサ５３０は、送信信号と受信信号とを分離する。
【００１８】
無線基地局５００は、ピークファクタ低減装置１００によるピーク低減処理を電力増幅器５６４前段で行なっているため、電力増幅器５６４に入力される送信信号のピークファクタは低くなる。そのため電力増幅器５６４を飽和電力に近づけて運転することができる。このため、無線基地局５００の運用時の電力効率を向上させることができる。
【００１９】
図３を参照して、ピークファクタ低減装置の構成を説明する。なお、任意に配置される送信波のスペクトラム形状としては図４（ａ）のＰＦＲなしのスペクトラムを想定する。図３において、ピークファクタ低減装置１００は、ベースバンドフィルタ１１０、遅延回路１２０、インパルス生成回路１３０、フィルタ係数生成回路１４０、ベースバンドフィルタ１５０、減算回路１６０で構成されている。
【００２０】
送信Ｉ、Ｑ信号は、ディジタルフィルタ１１０に入力され、送信信号の帯域制限が行なわれる。このベースバンドフィルタ１１０は、帯域外へのスプリアス抑制のために設けられ、ディジタルローパスフィルタで実現される。帯域制限された送信信号は、遅延回路１２０、インパルス生成回路１３０、フィルタ係数生成回路１４０に入力される。
【００２１】
インパルス生成回路１３０に入力された信号は、インパルス生成回路１３０およびベースバンドフィルタ１５０により送信信号の振幅制限信号を生成する。フィルタ係数生成回路１４０は、ベースバンドフィルタ１５０のフィルタ係数を生成する。遅延回路１２０に入力された送信Ｉ、Ｑ信号は、インパルス生成回路１３０およびベースバンドフィルタ１５０の処理分遅延される。遅延回路１２０により遅延された信号は減算回路１６０に入力される。減算回路１６０は、遅延回路１２０により遅延された送信Ｉ、Ｑ信号から、ベースバンドフィルタ１５０により帯域制限された複素インパルス信号の減算処理を行なう。
【００２２】
図５を参照して、フィルタ係数生成回路の構成を説明する。図５において、フィルタ係数生成回路１４０は、シンボル同期回路１４１、ＣＰ（Cyclic Prefix）除去回路１４２、高速フーリエ変換（ＦＦＴ：Fast Fourier Transform）回路１４３、周波数マスク生成回路１４４、逆高速フーリエ変換（ＩＦＦＴ：Inverse Fast Fourier Transform）回路１４５で構成されている。
【００２３】
帯域制限された送信信号は、シンボル同期回路１４１に入力され、シンボル先頭の検出が行われる。これは、マッチドフィルタによる送信信号内のプリアンブル信号検出または送信信号に付与される基準信号を用いることにより実現する。シンボル同期回路１４１でシンボル先頭検出後、ＣＰ除去回路１４２は、送信信号に付与されているＣＰを除去する。ＣＰ除去された信号は、高速フーリエ変換回路１４３に入力され、時間軸波形から周波数軸波形への変換が行なわれる。周波数軸波形に変換された信号は、周波数マスク生成回路１４４に入力される。周波数マスク生成回路１４４は、周波数軸変換された信号の振幅が一定値以上の場合１を、一定値以下の場合には０を出力する。すなわち、周波数マスク生成回路１１４は、サブキャリアマップを取得する。このサブキャリアマップを逆高速フーリエ変換回路１４５で、逆高速フーリエ変換することによりベースバンドフィルタ１５０のフィルタ係数を生成する。
【００２４】
図６を参照して、周波数マスク生成回路が取得するサブキャリアマップを説明する。図６において、サブキャリアマップは、図４（ａ）のＰＦＲなしのスペクトラムに対応するサブキャリア番号で１、他の非送信波のサブキャリア番号で０である。
【００２５】
図７、図８および図９を用いてインパルス生成回路の動作を説明する。図７において、インパルス生成回路１３０は、絶対値演算回路１３１、デッドゾーン回路１３２、最大値検出回路１３３、２台の遅延回路１３４、１３５、除算回路１３６、乗算器１３７で構成されている。
【００２６】
まずインパルス生成部回路１３０に入力された送信Ｉ、Ｑ信号は、絶対値演算回路１３１において、式（１）で示す絶対値演算が行われる。
【００２７】
｜Ｘ｜＝｜Ｉ＾２＋Ｑ＾２｜                              …（１）
絶対値演算結果｜Ｘ｜は、デッドゾーン回路１３２に入力される。デッドゾーン回路１３２は、図８で後述する入出力特性に基づき、入力｜Ｘ｜から設定値Ａ０以上の振幅を出力する。デッドゾーン回路１３２の入出力結果は式（２）であらわされる。
【００２８】
ＤＥＡＤ（Ｘ）＝０            ［｜Ｘ｜＜＝Ａ０］、
ＤＥＡＤ（Ｘ）＝｜Ｘ｜−Ａ０  ［｜Ｘ｜＞Ａ０］          …（２）
デッドゾーン回路出力信号は、最大値検出回路１３３に入力される。最大値検出回路１３３は、ピーク信号に比例したインパルス信号を出力する。最大値検出回路１３３の出力信号は、遅延回路１３４でデッドゾーン回路１３２および最大値検出回路１３３で生じた遅延量と同等の遅延が行われた絶対値演算回路出力信号と除算回路１３６で除算が行われ、送信電力での正規化が行われる。
【００２９】
除算回路１３６の出力信号は、遅延回路１３５で絶対値演算回路１３１、デッドゾーン回路１３２および最大値検出回路１３３で生じた遅延量と同等の遅延が行われたインパルス生成回路１３０に入力された複素Ｉ，Ｑ信号と乗算器１３７で乗算が行われ、インパルス信号の複素化が行われる。
【００３０】
図８を参照して、デッドゾーン回路の入出力特性を説明する。図８において、横軸は入力、縦軸は出力である。デッドゾーン回路１３２は、入力がＡ０未満で出力を０とし、入力がＡ０以上で、（入力−Ａ０）を出力する。
【００３１】
図９を参照して、最大値検出回路の構成を説明する。図９において、最大値検出回路１３３は、微分回路１３３１、２台の遅延回路１３３２、１３３５、２台の乗算器１３３３、１３３６、負値検出回路１３３４で構成されている。最大値検出回路１３３に入力された信号は、微分回路１３３１と遅延回路１３３５に入力される。微分回路１３３１では２連続するサンプルの差分が計算される。これはフィルタ係数が［１  −１］の簡単なディジタルＦＩＲフィルタで実現される。ｘ［ｎ−１］をｘ［ｎ］の１サンプル前の信号とすると微分回路出力Ｙｏｕｔは式（３）であらわされる。
【００３２】
Ｙｏｕｔ＜０  （ｘ［ｎ］＜ｘ［ｎ−１］）、
Ｙｏｕｔ＞０  （ｘ［ｎ］＞ｘ［ｎ−１］）、
Ｙｏｕｔ＝０  （ｘ［ｎ］＝ｘ［ｎ−１］）                …（３）
微分回路１３３１の出力信号は、遅延回路１３３２で１サンプル遅延され、乗算器１３３３には微分回路出力信号と遅延回路１３３２により１サンプル遅延された微分回路出力信号が入力され、微分回路出力の連続する２サンプル分のデータの乗算が行われる。ここで微分回路出力は式（３）のようにあらわされるため、ピーク信号が存在するサンプルだけ負となり、それ以外は正または０が出力される。
【００３３】
乗算器１３３３の出力は、負値検出回路１３３４に入力される。負値入力回路１３３４は、負の場合には１を、それ以外の場合は０を出力する。結果、負値検出回路１３３４の出力波形は、送信信号のピークのタイミングでインパルス信号を出力する。
【００３４】
負値検出回路１３３４で生成されたインパルス信号は、遅延回路１３３５でインパルス信号生成までに生じた遅延量を遅延させた最大値検出回路１３３の入力信号と乗算器１３３６で乗算が行われる。
【００３５】
再び図４を参照して、実施例１の効果を説明する。図４（ａ）において、横軸は周波数、縦軸は相対強度である。また、パラメータとしてＰＦＲの有無を対比している。図４（ａ)のＰＦＲなしの送信スペクトラムに対して、ＰＦＲありの送信スペクトラムは、停波されたサブキャリア領域にわずかにスペクトラムが発生している。しかし、その度合いは図１に比べて明らかに改善されている。
【００３６】
図４（ｂ）は、ピーク信号の頻度分布を表すＣＣＤＦ（Complementally Cumulative Distribution Function）を示している。図４（ｂ）において、横軸は平均電力からの乖離強度（ｄＢ）、縦軸はその頻度である。図４（ｂ）から明らかなように、ＰＦＲなしのピークファクタは９．９８ｄＢである。これに対して、実施例１のピークファクタは８．１０ｄＢである。
【実施例２】
【００３７】
図１０を参照して、実施例２を説明する。図９を参照して説明した最大値検出回路は、図１０に示す遅延器、比較器、ＡＮＤ回路、セレクタ回路でも実現できる。図１０において、最大値検出回路１３３Ａは、直列接続された６台の遅延器１０、６台の比較器２０、ＡＮＤ回路３０、セレクタ回路４０で構成している。最大値検出回路１３３Ａは、前後３サンプルを比較し、最大値のタイミングでピーク信号を出力する。最大値検出回路１３３Ａに入力された信号は、比較器２０において、前後３サンプルの信号とそれぞれ比較される。この比較結果がＡＮＤ回路３０に入力される。ＡＮＤ回路３０において、比較信号が前後３サンプルのデータより全て大きい場合、比較器２０の全出力が１となるためＡＮＤ回路３０出力も１となる。一方、前後３サンプル以内に比較信号より大きい値が存在する場合、ＡＮＤ回路３０の全入力が１とならないため、ＡＮＤ回路３０出力は０となる。セレクタ回路４０は、ＡＮＤ回路３０出力が１の場合には比較信号を、０の場合には０を出力することによりピーク信号のタイミングのみにインパルス信号を出力することができる。
【実施例３】
【００３８】
実施例３について図１１ないし図１４を用いて説明する。図１１において、フィルタ係数生成回路１４０Ａは、シンボル同期回路１４１、ＣＰ除去回路１４２、ＦＦＴ回路１４３、周波数マスク生成回路１４４、ＩＦＦＴ回路１４５、窓関数回路１４６で構成されている。
【００３９】
フィルタ回数生成回路１４０Ａでは、最終段に窓関数回路１４６を追加している。送信Ｉ、Ｑ信号をＦＦＴし作成したサブキャリアマップの信号形状は図６のように方形波をしている。方形波をＩＦＦＴして作成したフィルタ係数を図１２に示す。図１２からフィルタ係数のエネルギーは、係数中央に局所的に分布していることが分かる。したがって、両端の係数については切捨ててもフィルタ特性に大きな影響を与えない。そこで、窓関数回路１４６は、窓関数により後段のベースバンドフィルタのフィルタ係数の切捨てを行なう。
【００４０】
図１３を参照して、ハミング窓およびハミング窓により切捨てされたフィルタ係数を示す。さらに、図１４にフィルタ係数切捨て前後の周波数特性を示す。図１４において、係数の切捨てを行ったことにより帯域遮断特性は若干劣化していることがわかる。この劣化がスペクトラム特性を満足するならば、実施例３を用いてフィルタのフィルタ係数を削減することが可能であり、実装ハード容量を減らすことができる。実施例３ではハミング窓を用いてフィルタ係数の削減を行っているが、一般的に知られるハニング窓、ブラックマン窓等を用いてもよい。
実施例３によれば、フィルタのタップ数を削減できる。
【実施例４】
【００４１】
実施例４について、図１５を用いて説明する。図１５において、フィルタ係数生成回路１４０Ｂは、シンボル同期回路１４１、ＣＰ除去回路１４２、ＦＦＴ回路１４３、周波数マスク生成回路１４４、ＩＦＦＴ回路１４５、ローパスフィルタ（ＬＰＦ）１４７で構成している。実施例４では実施例１および実施例３に示すピークファクタ低減装置のフィルタ係数生成回路１４０の最終段にローパスフィルタ１４７を追加している。ＯＦＤＭにおいてサブキャリアマップはＯＦＤＭシンボルごとに切り替わる。そのためベースバンドフィルタ１５０の係数は各ＯＦＤＭシンボル間で急激に変わることになる。この結果、シンボルの変わり目で出力波形が歪む。このフィルタ係数の急激な変動を抑えるためにフィルタ係数生成回路１４０Ｂの最終段にローパスフィルタ１４７を追加する。結果、フィルタ係数の急激な変動を抑えられるためシンボルの変わり目での出力波形の歪みを抑えることできる。
【実施例５】
【００４２】
実施例５について、図１６を用いて説明する。図１６において、ピークファクタ低減装置１００Ａは、シンボル同期回路１１０、遅延回路１２０、インパルス生成回路１３０、フィルタ係数生成回路１４０、ベースバンドフィルタ１５０、減算回路１６０、係数生成部１７０、係数選択部１８０で構成されている。図１６において、図３と対比して、ベースバンドフィルタ１１０と同一のフィルタ係数を生成する係数生成部（ＴＡＰ  ＧＥＮ）１７０とベースバンドフィルタ１５０のフィルタ係数を選択する係数選択部（ＴＡＰ  ＳＥＬＥＣＴ）１８０が追加されている。送信信号がＣＤＭＡ信号の場合、ＴＡＰ  ＳＥＬＥＣＴ１８０でベースバンドフィルタ１５０のフィルタ係数をＴＡＰ  ＧＥＮ１７０の係数に選択することで従来のピークファクタ低減処理を実現できる。また、送信信号がＯＦＤＭの場合にはＴＡＰ  ＳＥＬＥＣＴ１８０でベースバンドフィルタ１５０のフィルタ係数をフィルタ係数生成回路１４０出力に選択することで実施例１のピークファクタ低減処理を実現可能となり、ひとつの装置でＣＤＭＡおよびＯＦＤＭ両信号のピークファクタ低減処理を実現可能となる。
【実施例６】
【００４３】
実施例６について、図１７を用いて説明する。図１７において、無線基地局５００Ａは、送信機５１０Ａ、受信機５２０、デュープレクサ５３０、アンテナ５４０で構成されている。送信機５１０Ａは、さらにディジタル部５５０Ａとアナログ部５６０Ａで構成されている。また、ディジタル部５５０Ａは、モデム部５５１、ベースバンドフィルタ５５２、ピークファクタ低減装置１００、デュープレクサ５５３構成されている。アナログ部５６０Ａは、ＤＡ変換機５６１、直交変換機５６２、フィルタ５６３、電力増幅器５６４、減衰器（ＡＴＴ）５６５、ミキサー（ＭＩＸ）５６６、ＡＤ変換機（ＡＤＣ）５６７で構成されている。図１７は、実施例１に示したピークファクタ低減装置１００を加えた無線基地局５００に電力増幅器５６４の歪み補償を行なうディジタルプリディストーション（ＤＰＤ）回路５５３とＤＰＤ回路５５３用の電力増幅器出力信号の検波回路（５６５〜５６７）を追加した無線基地局５００Ａである。
【００４４】
減衰器５６５は、電力増幅器５６４の出力を減衰させる。ミキサー５６６は、減衰器５６５の出力をダウンコンバートする。ＡＤ変換機５６７は、ミキサー５６６の出力をＡＤ変換する。ＤＰＤ回路５５３は、ピークファクタ低減装置１００からの入力信号と、ＡＤ変換機５６７からの入力信号とを比較して、電力増幅器５６４の歪みを補償する。
【００４５】
無線基地局５００Ａに使用される電力増幅器５６４は、飽和領域よりかなり低いレベルから入出力特性が非線形特性を示す。このため、出力レベルが電力増幅器５６４の飽和電力付近でなくても出力波形は歪む。この飽和領域までの間に存在する非線形領域の特性を補償するのがＤＰＤ回路５５３である。ＤＰＤ回路５５３は、その動作特性上、飽和領域に対しては補償を行なうことができない。そこで、ピークファクタ低減装置１００と組み合わせることで電力増幅器５６４をよりいっそう飽和電力に近づけて運転することが可能となる。
【符号の説明】
【００４６】
１００…ピークファクタ低減装置、１１０…ベースバンドフィルタ、１２０…遅延回路、１３０…インパルス生成回路、１３１…絶対値回路、１３２…デッドゾーン回路、１３３…最大値検出回路、１３４…遅延回路、１３５…遅延回路、１３６…除算回路、１３７…乗算器、１４０…フィルタ係数生成回路、１４１…シンボル同期回路、１４２…ＣＰ除去回路、１４３…高速フーリエ変換回路、１４４…周波数マスク生成回路、１４５…逆高速フーリエ変換回路、１４６…窓関数回路、１４７…ローパスフィルタ、１５０…ベースバンドフィルタ、１６０…減算回路、１７０…係数生成部、１８０…ＴＡＰ  ＳＥＬＥＣＴ、５００…無線基地局、５１０…送信機、５２０…受信機、５３０…デュープレクサ、５４０…アンテナ、５５０…ディジタル部、５５１…モデム部、５５２…ベースバンドフィルタ、５５３…ディジタルプリディストーション回路、５６０…アナログ部、５６１…ＤＡ変換機、５６２…直交変調器、５６３…フィルタ、５６４…電力増幅器、５６６…減衰器、５６６…ミキサー、５６７…ＡＤ変換機。
【図１】
2010171610.tif 000003
【図２】
2010171610.tif 000004
【図３】
2010171610.tif 000005
【図４】
2010171610.tif 000006
【図５】
2010171610.tif 000007
【図６】
2010171610.tif 000008
【図７】
2010171610.tif 000009
【図８】
2010171610.tif 000010
【図９】
2010171610.tif 000011
【図１０】
2010171610.tif 000012
【図１１】
2010171610.tif 000013
【図１２】
2010171610.tif 000014
【図１３】
2010171610.tif 000015
【図１４】
2010171610.tif 000016
【図１５】
2010171610.tif 000017
【図１６】
2010171610.tif 000018
【図１７】
2010171610.tif 000019